(57)【特許請求の範囲】
【請求項１】
綱の一端部に直径を縮小自在とする輪部が形成された長尺のくくり輪と、
捕獲する動物を誘引する餌が収容されたる一端が開口し、前記開口に前記輪部を取り外し自在に保持する容器と、
前記容器が取り付けられる台部に対してスタンド本体を上下方向に立設し、前記スタンド本体の上部に前記くくり輪の綱を引っ掛けて折り返す綱引っ掛け部材が設けられたスタンドと、
前記くくり輪の綱の他端部と前記台部との間に接続されて前記綱に引っ張り力を弾性的に付与する引っ張り部材と、
前記引っ張り部材の引っ張り力に抗して前記くくり輪の綱を引っ張った状態で前記綱に付与される引っ張り力を保持し、前記容器内の餌に動物が食いつく動作を検知すると前記引っ張り力保持状態を解除するトリガー装置と、
を有する首用くくり罠。
【請求項２】
請求項１に記載の首用くくり罠において、
前記綱引っ掛け部材は、プーリー又はフック部材であることを特徴とする首用くくり罠。
【請求項３】
請求項１又は２に記載の首用くくり罠において、
前記引っ張り部材は、引っ張りばね又はベルト状に形成されたゴムベルトであることを特徴とする首用くくり罠。
【請求項４】
請求項１から３のいずれかに記載の首用くくり罠において、
前記トリガー装置は、前記綱の一部に掛け止めされて前記綱に付与される引っ張り力を保持する掛け止め部と、前記掛け止め部の掛け止め状態を解除可能に保持するロック部と、前記容器内の餌を動物が食いつく食いつき動作を検知して前記ロック部のロック状態を解除するロック解除部と、を有することを特徴とする首用くくり罠。
【請求項５】
請求項４に記載の首用くくり罠において、
前記ロック解除部は、通電により前記ロック部をロック解除状態に動作させる電磁ソレノイドと、前記食いつき動作を検知するとロック解除信号を出力するロック解除検知部と、を有することを特徴とする首用くくり罠。
【請求項６】
請求項１から５のいずれかに記載の首用くくり罠において、
前記スタンドはフレーム部材で構成されていることを特徴とする首用くくり罠。
【請求項７】
請求項４から６のいずれかに記載の首用くくり罠において、
前記くくり輪をなす綱は、前記輪部が形成されるくくり輪本体と前記引っ張り部材との間をチェーンで接続し、前記チェーンを前記引っ掛け部材に引っ掛けたことを特徴とする首用くくり罠。
【発明の詳細な説明】
【技術分野】
【０００１】
本発明は、捕獲対象動物の首にくくり輪をかけて捕獲する首用くくり罠に関する。
【背景技術】
【０００２】
首用くくり罠として、誘引式首用くくり罠が提供されている（非特許文献１、第９頁）。この誘引式首用くくり罠は、捕獲対象動物が容器内の餌に誘われて餌をくわえると、トリガーが外れて前記容器の開口縁にセットしていたくくり輪の輪部が縮まり、動物の首にくくり輪の輪部が掛けられるようになっている。この首用くくり罠は、引きばねの一端がくくり輪に取り付けられ、他端部が木の幹に取り付けられる。前記トリガーが外れると、前記引きばねのばね力で前記くくり輪が引っ張られてくくり輪の輪部が動物の首に掛けられる。
【先行技術文献】
【非特許文献】
【０００３】
【非特許文献１】シカ捕獲ハンドブック  くくりわな編  静岡県農林技術研究所  森林・林業研究センター  イノシシシカ研究チーム  ２０１６年３月改定版（発行年月日：平成２８年３月）、［令和１年６月２５日検索］、インターネット＜ＵＲＬ：https://www.pref.shizuoka.jp/sangyou/sa-850/sikahokaku.pdf＞
【発明の概要】
【発明が解決しようとする課題】
【０００４】
上記した非特許文献１に開示の首用くくり罠において、前記引きばねの他端部が木の幹などの高い位置に固定されているため、罠にかかった動物の背が低いと、前記引きばねが縮んだ状態で動物を吊り上げ状態にするおそれがある。
【０００５】
本発明の目的は、罠にかかった動物を吊り上げ状態にすることなく捕獲できる首用くくり罠を提供することにある。
【課題を解決するための手段】
【０００６】
〔発明１〕  本発明の目的を達成するために、発明１の首用くくり罠は、綱の一端部に直径を縮小自在とする輪部が形成された長尺のくくり輪と、捕獲する動物を誘引する餌が収容されたる一端が開口し、前記開口に前記輪部が取り外し自在に保持する容器と、前記容器が取り付けられる台部に対してスタンド本体を上下方向に立設し、前記スタンド本体の上部に前記くくり輪の綱を引っ掛けて折り返す綱引っ掛け部材が設けられたスタンドと、前記くくり輪の綱の他端部に接続されて前記綱に引っ張り力を弾性的に付与する引っ張り部材と、前記引っ張り部材の引っ張り力に抗して前記くくり輪の綱を引っ張った状態で前記綱に付与される引っ張り力を保持し、前記容器内の餌に動物が食いつく動作を検知すると前記引っ張り力保持状態を解除するトリガー装置と、を有する。
【０００７】
〔発明２〕  本発明の目的を達成するために、発明２の首用くくり罠は、発明１の首用くくり罠において、前記綱引っ掛け部材は、プーリー又はフック部材とすることができる。
【０００８】
〔発明３〕  本発明の目的を達成するために、発明３の首用くくり罠は、発明１又は２の首用くくり罠において、前記引っ張り部材は、引っ張りばね又はベルト状に形成されたゴムベルトとすることができる。
【０００９】
〔発明４〕  本発明の目的を達成するために、発明４の首用くくり罠は、発明１から３のいずれかの首用くくり罠において、前記トリガー装置は、前記綱の一部に掛け止めされて前記綱に付与される引っ張り力を保持する掛け止め部と、前記掛け止め部の掛け止め状態を解除可能に保持するロック部と、前記容器内の餌を動物が食いつく食いつき動作を検知して前記ロック部のロック状態を解除するロック解除部と、を有する構成とすることができる。
【００１０】
〔発明５〕  本発明の目的を達成するために、発明５の首用くくり罠は、発明４の首用くくり罠において、前記ロック解除部は、通電により前記ロック部をロック解除状態に動作させる電磁ソレノイドと、前記食いつき動作を検知するとロック解除信号を出力するロック解除検知部と、を有する構成とすることができる。
【００１１】
〔発明６〕  本発明の目的を達成するために、発明６の首用くくり罠は、発明１から５のいずれかの首用くくり罠において、前記スタンドはフレーム部材で構成することができる。
【００１２】
〔発明７〕  本発明の目的を達成するために、発明７の首用くくり罠は、発明４から６のいずれかの首用くくり罠において、前記くくり輪をなす綱は、前記輪部が形成されるくくり輪本体と前記引っ張り部材との間をチェーンで接続し、前記チェーンを前記引っ掛け部材に引っ掛けた構成とすることができる。
【発明の効果】
【００１３】
発明１の首用くくり罠によれば、くくり輪の輪部に動物の首がかかると、綱が綱引っ掛け部材から外れて地面に落下するので、動物が吊り上げ状態になることを防ぐことができる。また、くくり輪の綱は綱引っ掛け部材で折り返されているため、引っ張り部材と共に真っ直ぐ張った場合に比べて綱引っ掛け部材の高さをその約半分の低さにすることができるため、首用くくり罠のコンパクト化を図ることができる。
【００１４】
また、発明２の首用くくり罠によれば、プーリー又はフック部材にくくり輪の綱を引っ掛けているだけなので、輪部に動物の首がかかった際に、動物の動きでくくり輪の綱が綱引っ掛け部材から自然に外すことができる。
【００１５】
さらに、発明３の首用くくり罠によれば、くくり輪の綱に引っ張り力を付与する引っ張り部材として引っ張りばねを用いると綱に付与する引っ張り力と引っ張りストロークの設定が容易となり、ゴムベルトを用いるとコストの低減が図れる。
【００１６】
また、発明４の首用くくり罠によれば、くくり輪の輪部を動物の首に掛けるのに必要な長さだけ綱を引っ張り、綱の一部を掛け止め部に引っ掛けることにより、ロック状態が解除されても、必要以上に輪部が締まることがないため、動物を傷つけることなく捕獲することができる。
【００１７】
また、発明５の首用くくり罠によれば、電気的にロック解除動作を行って輪部を動物の首に掛けるようにするため、確実に罠を動作させることができる。
【００１８】
また、発明６の首用くくり罠によれば、首用くくり罠の軽量化を図ることができる。
また、発明７の首用くくり罠によれば、チェーンを構成するリンクのいずれかを掛け止め部に掛け止めすることができ、くくり輪の綱に付与する引っ張り力と引っ張り長さの調節が容易となる。
【図面の簡単な説明】
【００１９】
【図１】本発明による首用くくり罠の第１実施形態を示す正面図である。
【図２】図１の右側面図である。
【図３】図２に示すトリガー装置の正面図である。
【図４】首用くくり罠の第２実施形態を示す図である。
【発明を実施するための形態】
【００２０】
以下、本発明による首用くくり罠を図面に示す実施形態に基づいて説明する。
〔第１実施形態〕
図１、２において、首用くくり罠１は、フレーム構造のスタンド１０に、くくり輪２０と、くくり輪２０に弾性的な引っ張り力を付与する引っ張り弾性部材である引っ張りばね３０と、誘引用の餌を入れる容器４０と、トリガー装置５０と、を設けている。なお、図１において、トリガー装置５０は、くくり輪２０と前後方向で重なるため、配置位置を二点鎖線で囲む範囲で示し、詳細を図２及び図３に示す。
【００２１】
スタンド１０は、フレーム状の金属製の台部１１と、台部１１の背面側に上下方向に沿って延びるフレーム状の金属製のスタンド本体１２により構成している。台部１１の裏面側四隅にキャスター１３が取り付けられ、首用くくり罠１の移動を容易としている。スタンド本体１２は、左右両側の支柱１２ａ、１２ｂの間に複数の桟部材１２ｃ〜１２ｇが間隔を有して固定されたはしご形状に形成されている。最上段の桟部材１２ｃには綱引っ掛け部材であるＶ字溝を周方向に形成したプーリー１４が支軸１５を介して回転自在に取り付けられている。なお、プーリー１４は支軸１５の先端側に固定した抜けとめ金具１５ａにより抜け防止が図られている。桟部材１２ｆと桟部材１２ｇには、トリガー装置５０の一部が取り付けられる。
【００２２】
くくり輪２０は、一本のワイヤーロープ又は繊維製のロープ又はワイヤーロープ、チェーン、繊維ロープ等を繋ぎ合わせて構成した一本の綱の一端側に輪部２１を形成し、他端部を木等に縛り付けて使用される。本実施形態のくくり輪２０は、ワイヤーロープ製のくくり輪本体２２の先端部にに直径を縮小自在とする輪部２１を形成し、くくり輪本体２２のワイヤーロープの後端部に長尺のチェーン２３の先端部２３ａを接続し、さらにチェーン２３の後端部２３ｂに繊維製ロープやワイヤーロープ等の繋ぎロープ部２４を接続した構成としている。輪部２１よりも後側のワイヤーロープを大元２５とする。チェーン２３はプーリー１４に掛けられて折り返される。繋ぎロープ部２４の先端部はくくり罠１の設置位置の近くの木などに縛り付けられる。
【００２３】
引っ張り弾性部材である引っ張りばね３０は、一端部３１がプーリー１４で折り返されたチェーン２３の後端部に接続され、他端部３２が台部１１に固定される。なお、図２において、チェーン２３がプーリー１４で折り返される折り返し部分２３ｃを示すために背面側にずらして描いているが、実際はプーリー１４で折り返される前のチェーンと折り返し部分２３ｃは略重なる。
【００２４】
容器４０は、ポリバケツと称されるプラスチック製の容器で、上部開口を斜め上方に向けて傾斜状態で台部１１に固定された左右一対の取り付けブラケット４１にバンド部材４２を介して取り付けられる。容器４０の開口部４０ａの周囲には、くくり輪２０の輪部２１を取り外し自在に保持する複数のロープホルダー４３が固定されている。ロープホルダー４３は、側面形状がコ字形状に形成され、開口側を容器４０の内部側に向けて取り付けられる。ロープホルダー４３は、輪部２１を形成するワイヤーロープを弾性的に保持して輪部２１を所定の直径に保持する。輪部２１を構成するワイヤーロープの大元２５が引っ張られると、ロープホルダー４３から輪状のワイヤーロープが外れ、輪部２１の直径が縮む。容器４０の周壁には複数の孔部４０ｂが設けられ、容器４０内に仕掛けた餌の臭いが孔部４０ｂを通して容器外に拡散して捕獲対象の動物をおびき寄せるようにしている。
【００２５】
トリガー装置５０は、引っ張りばね３０のばね力に抗してチェーン２３を下方に向けて引き下ろした状態でチェーン２３の一端（下端）を掛け止めする掛け止め部５１と、掛け止め部５１の掛け止め状態を解除可能に保持するロック部６０と、容器４０内の餌を動物が食いつく食いつき動作を検知してロック部６０のロック状態を解除する電磁ソレノイド７１等で構成されるロック解除部７０を有する。ロック解除部７０は、ロック解除状態である前記食いつき動作を検知するとロック解除信号を出力して電磁ソレノイド７１への通電でロック解除を行わせるロック解除検知部であるリミットスイッチ８０と、リミットスイッチ８０のオンで電磁ソレノイド７１への給電を行うバッテリー９０と、を有する。掛け止め部５１とロック部６０と電磁ソレノイド７１は、基板５０ａ上に上下方向に沿って取り付けられてユニット化される。基板５０ａは桟部材１２ｄｆと桟部材１２ｅｇに固定される。
【００２６】
掛け止め部５１は、背板部５１ａの左右両側から前方に向けて側板部５１ｂ、５１ｃが折り曲げられたばねホルダー５２を有しており、ばねホルダー５２の背板部５１ａが基板５０ａに固定される。ばねホルダー５２の左側板部５１ｂと右側板部５１ｃの間にねじりコイルばね（トーションばね）５３が配置され、左側板部５１ｂと右側板部５１ｃをそれぞれ軸受けとして軸支されるばね支軸５４にねじりコイルばね５３が挿通される。ねじりコイルばね５３は、ばね支軸５４の回りを回転可能としている。
【００２７】
ねじりコイルばね５３は右ネジ回りにばね線材が巻かれたコイル部の一端側と他端側から平行で接線方向に沿って同方向に延びる直線状の第１ばね端部５３ａと、第２ばね端部５３ｂを有する。第１ばね端部５３ａは長尺に形成され、第２ばね端部５３ｂは短尺に形成されており、第１ばね端部５３ａが下方に垂れ下がった状態で、ロック部６０のリング部６１に係合する。また、第２ばね端部５３ｂにチェーン２３の先端部２３ａが掛け止められる。
【００２８】
チェーン２３の先端部２３ａを引っ張りばね３０のばね力に抗して下方に引き下げると、チェーン２３の先端部２３ａには上方に向けた引っ張り力が付与される。したがって、第１ばね端部５３ａを押し下げると下方に向けて回転すると、第２ばね端部５３ｂに引っ掛けられたチェーン２３は下方に向けて引き下げられる。引っ張りばね３０のばね力がねじりコイルばね５３のばね力よりも強くなると、第２ばね端部５３ｂの下方への移動は停止し、は回転せずに第１ばね端部５３ａのみが押し下げられる回転する。第２ばね端部５３ｂの回転移動停止位置が水平以下となるように、チェーン２３の先端部２３ａの掛け止め位置を調整する。第２ばね端部５３ｂが例えば水平位置で回転停止後、第１ばね端部５３ａをさらに下向きに回転し押し下げ、ロック部６０のリング部６１に第１ばね端部５３ａの先端部を係合し、掛け止め状態が保持される。
【００２９】
ロック部６０は、例えばリング形状に形成されたリング部６１を上下方向に回転可能に支持するが支持部材６２を介して基板５０ａに取り付られ、支持部材６２を中心にリング部６１が上下方向に回転可能けた構成としている。リング部６１の前部内周面に第１ばね端部５３ａの先端部が係合し、第１ばね端部５３ａの弾性復元力によりリング部６１が略水平位置に保持される。リング部６１を下方に向けて回転する押し下げると、第１ばね端部５３ａの先端部５３ａとリング部６１との係合が外れ、ねじりコイルばね５３が回転自在となり、チェーン２３に付与された引っ張りばね３０の弾性復元力で第２ばね端部５３ｂが水平方向から上向きに押し戻され回転し、第２ばね端部５３ｂとチェーン２３の先端部２３ａとの掛け止め状態が解除されてチェーン２３が勢いよく上方に引き上げられる。
【００３０】
ロック解除部７０は、電磁ソレノイド７１の作動シャフト７２と、係合部材であるリング部６１を板状のリンク部材７３により連結し、電磁ソレノイド７１に通電されると作動シャフト７２がばね７４のばね力に抗して下方に移動することでリング部６１を下方に向けて回転させ押し下げる。電磁ソレノイド７１への通電を断つと、ばね７４のばね力で作動シャフト７２が上方に移動してリング部６１を水平状態に復帰可能とする。
【００３１】
リミットスイッチ８０は、スイッチ本体８１から延びるばね部材で構成された細長いセンサー部８２を有し、スイッチ本体８１とバッテリー９０を一体的に組み付けている。スイッチ本体８１とバッテリー９０は台部１１上に設けた二点鎖線で示すスイッチ取り付け台８３に取り付けられる。スイッチ本体８１は、容器４０の周壁部に形成した開口部４４に近接して配置され、センサー部８２が開口部４４を通して容器４０内に差し込まれる。
【００３２】
容器４０内でセンサー部８２に触れると、センサー部８２が曲がってスイッチ本体８１がスイッチオンを出力し、電磁ソレノイド７１へ通電される。センサー部８２が元に戻ると、スイッチ本体８１がスイッチオフを出力し、電磁ソレノイド７１への通電が遮断される。
【００３３】
次に、本実施形態の動作を以下に説明する。
容器４０は捕獲対象動物の頭が入るサイズのものが用意され、容器４０の内底部に餌が仕掛けられる。本実施形態ではセンサー部８２よりも底側に餌が配置される。くくり輪２０のチェーン２３の先端部２３ａがトリガー装置５０のねじりコイルばね５３の第２ばね端部５３ｂに掛け止めされ、第１ばね端部５３ａがリング部６１に係合した首用くくり罠１のスタンバイ状態にあるものとする。
【００３４】
動物が容器４０内に首を突っ込んでセンサー部８２に触れると、スイッチ本体８１がスイッチオンとなって電磁ソレノイド７１にバッテリー９０から給電され、リング部６１が下方に向けて回転することで第１ばね端部５３ａに対するロック解除が行われる。このロック解除でねじりコイルばね５３が回転フリー状態となり、チェーン２３の先端部２３ａと第２ばね端部５３ｂとの掛け止めが外れ、引っ張りばね３０のばね力でチェーン２３が引っ張りばね３０側に向けて一気に引っ張られる。チェーン２３は折り返し部分２３ｃ側が下方に向けて引き降ろされ、先端部２３ａ側が上方に向けて引き上げられる。
【００３５】
チェーン２３の先端部２３ａが引き上げられると、くくり輪本体２２の大元２５も引き上げられて輪部２１が容器４０のロープホルダー４３から外れ、直径が縮まる。その際、容器４０内に突っ込まれていた動物の首に輪部２１が掛けられる。
【００３６】
チェーン２３は、スタンド本体１２の高い位置に設けたプーリー１４に掛けられて折り返されているため、チェーン２３を一気に引っ張る際、又は輪部２１が首に掛けられた動物が暴れたりするとチェーン２３がプーリー１４から自然に外れ、チェーン２３と繋ぎロープ部２４が地面に落ちる。
【００３７】
したがって、本実施形態の首用くくり罠１によれば、罠にかかった動物がくくり輪２０によって吊り上げ状態になることを防止することができる。また、プーリー１４でチェーン２３を折り返しているので、くくり輪２０の綱をなすチェーン２３を引っ張りばね３０と共に真っ直ぐ張った場合に比べてプーリー１４の高さをその約半分の低さにすることができるため、首用くくり罠１のコンパクト化を図ることができる。
【００３８】
さらに、くくり輪２０のチェーン２３に引っ張り力を付与する引っ張り部材として引っ張りばね３０を用いると、引っ張りばねのばね定数、長さを設定することで引っ張り力と引っ張りストロークの設定が容易となる。
【００３９】
また、リミットスイッチ８０によって電気的にロック部６０のロック解除動作を行うため、確実にロック解除動作を行うことができる。
【００４０】
また、チェーン２３の先端部２３ａにおいて、第２ばね端部５３ｂに掛け止めるチェーン２３のリング位置を適宜選択することでくくり輪２０の輪部２１を動物の首に掛けるのに必要な長さだけチェーン２３を引っ張りばね３０のばね力に抗して引っ張ることができ、ロック状態が解除されても、必要以上に輪部が締まることがないため、動物を傷つけることなく捕獲することができる。
【００４１】
さらに、綱引っ掛け部材としてＶ字溝を備えたプーリー１４を使用し、Ｖ字溝にチェーン２３を掛け回すことにより、チェーン２３が引っ張りばね３０のばね力に抗して引っ張られる際にチェーン２３に斜めに力が加わった際にプーリー１４からチェーン２３が外れるのを防止できる。また、掛け止め部５１の第２ばね端部５３ｂからチェーン２３が外れて引っ張りばね３０の引っ張り力でチェーン２３が勢いよく引っ張り上げられる際にプーリー１４からチェーン２３が外れるのを防止し、輪部２１の直径を縮小して動物の首に確実に掛けることができる。
【００４２】
このように、綱引っ掛け部材は、チェーン２３が掛けられる引っ掛け部の周囲が開放された構成であって、チェーン２３を掛け止め部５１の第２ばね端部５３ｂに掛け止める際、チェーン２３に引っ張りばね３０のばね力が付与されている状態で、チェーン２３が外れるのを防止しつつ、輪部２１が動物の首に掛かった後は、チェーン２３の掛け回し状態が容易に外れる構成としている。
【００４３】
〔第１実施形態の変形例〕
本実施形態において、スタンド１０は金属製のフレーム部材を用いて構成しているが、木製のフレーム部材を用いて構成してもよい。また、引っ張り部材として引っ張りばね３０を用いているが、ゴムその他の引っ張り特性を備えた弾性部材を用いてもよい。さらに、ロック解除部７０は、電磁ソレノイド７１とリミットスイッチ８０を利用した電気的構成としているが、ワイヤーロープ、リンク機構等の機械的構成としてもよい。
【００４４】
プーリー１４にはＶ字溝を形成しているが、Ｕ字溝であってもよい。また、プーリー１４だけでなく、Ｌ字フック等のフック部材、その他開放支持部材であってもよい。
【００４５】
なお、チェーン２３をリング等の閉ループ形状の部材に通して折り返した構成とすると、チェーン２３が閉ループ形状の部材から外れないが、プーリー１４等の綱引っ掛け部材のようにチェーン２３を引っ掛ける構成、すなわち開放型の綱支持部材とすることで、チェーン２３が容易に外れる構成としている。
【００４６】
本実施形態において、容器４０に首を突っ込む動物を撮影するカメラを設け、動物認識装置に捕獲対象動物の画像を予め登録することで、捕獲対象動物以外の動物が容器４０内に首を突っ込んでセンサー部８２に触れてスイッチ本体８１がスイッチオンとなっても電磁ソレノイド７１への通電を行わないようにすることもできる。また、例えば迷子の犬を捕獲する場合、その犬の顔画像を動物認識装置に予め登録することで、犬であっても捕獲すべき迷子犬以外は捕獲できないようにすることもできる。
【００４７】
〔第２実施形態〕
図４は首用くくり罠の第２実施形態を示す側面図である。
本実施形態の首用くくり罠１００は、第１実施形態の首用くくり罠１と基本的に同じ構成を有し、図１〜図３に示す部材と同じ部材には同じ符号を付してその説明を省略する。
【００４８】
本実施形態の首用くくり罠１００が第１実施形態の首用くくり罠１と異なる点は、スタンド１１０が台部１１１とスタンド本体１１２を板材で構成し、チェーン２３が折り返して掛けられる綱引っ掛け部材をプーリー１４からフック部材１１４に変更した点である。また、引っ張り部材を引っ張りばね３０からベルト状に形成されたゴム製のゴムベルト１３０に変更し、さらにトリガー装置５０のロック解除部７０を電磁ソレノイド７１からワイヤーロープ１７１に変更した。電磁ソレノイド７１を使用しないため、リミットスイッチ８０、バッテリー９０は設けていない。
【００４９】
ワイヤーロープ１７１は一端部１７１ａが容器４０の底板に設けた底孔４０ｃを通して容器４０内に達し、他端部１７１ｂがリング部６１に接続される。ワイヤーロープ１７１の一端部１７１ａには餌が取り付けられていて、容器４０内に頭を入れて餌に食いついた動物が餌を引っ張ると、ワイヤーロープ１７１が下方に向けて引っ張られてリング部６１が下方に向けて回転し、第１ばね端部５３ａの先端部とリング部６１との係合が解除される。その結果、第１実施形態と同様に、チェーン２３の先端部２３ａがねじりコイルばね５３の第２ばね端部５３ｂから外れるトリガー動作が行われ、くくり輪２０の輪部２１が縮まって動物の首に掛けられる。
【００５０】
本実施形態によれば、ワイヤーロープ１７１でリング部６１を回転させてトリガー動作を行うようにしているので、構成の簡素化が図れる。また、ゴムベルト１３０でチェーン２３に引っ張り力を付与するので、コストの低減が図れる。
【００５１】
〔第２実施形態の変形例〕
スタンド１１０を構成する板材は、複数の孔を厚み方向に貫通形成して軽量化を図ることができる。
【００５２】
また、第２実施形態において、ロック解除部７０の構成以外を第１実施形態と同様の構成としてもよい。
【００５３】
引っ張り部材としてゴムベルト１３０を使用しているが、弾性的に引っ張り力を付与する弾性部材、例えば糸ゴムを束ねた弾性部材等を使用してもよい。
【００５４】
また、綱引っ掛け部材としてのフック部材１１４は、Ｌ字形状のフック部材としているが、上方に向けて起立するフック部の先端に例えば球体等の返し部を形成することにより、例えば掛け止め部５１の第２ばね端部５３ｂからチェーン２３が外れた際の勢いで、フック部材１１４に掛けられるチェーン２３が外れることが防止され、その後フック部材１１４からチェーン２３が容易に外れる。なお、返し部はチェーン２３のリングに引っ掛かることがないようなサイズと形状とすることが望ましい。
【符号の説明】
【００５５】
１…首用くくり罠、  １０…スタンド、  １１…台部、  １２…スタンド本体、  １２ａ、１２ｂ…支柱、  １２ｃ〜１２ｇ…桟部材、  １３…キャスター、  １４…プーリー、  １５…支軸、  １５ａ…抜けとめ金具、  ２０…くくり輪、  ２１…輪部、  ２２…くくり輪本体、  ２３…チェーン、  ２３ａ…先端部、  ２３ｂ…後端部、  ２３ｃ…折り返し部分、  ２４…繋ぎロープ部、  ２５…大元、  ３０…引っ張りばね、  ３１…一端部、  ３２…他端部、  ４０…容器、  ４０ａ…開口部、  ４０ｂ…孔部、  ４０ｃ…底孔、  ４１…取り付けブラケット、  ４２…バンド部材、  ４３…ロープホルダー、  ４４…開口部、  ５０…トリガー装置、  ５０ａ…基板、  ５１…掛け止め部、  ５１ａ…背板部、  ５１ｂ…左側板部、  ５１ｃ…右側板部、  ５２…ばねホルダー、  ５３…ねじりコイルばね（トーションばね）、  ５３ａ…第１ばね端部、  ５３ｂ…第２ばね端部、  ５４…ばね支軸、  ６０…ロック部、  ６１…リング部、  ６２…支持部材、  ７０…ロック解除部、  ７１…電磁ソレノイド、  ７２…作動シャフト、  ７３…リンク部材、  ７４…ばね、  ８０…リミットスイッチ、  ８１…スイッチ本体、  ８２…センサー部、  ８３…スイッチ取り付け台、  ９０…バッテリー、  １００…首用くくり罠、  １１０…スタンド、  １１１…台部、  １１２…スタンド本体、  １１４…フック部材、  １３０…ゴムベルト、  １７１…ワイヤーロープ、  １７１ａ…一端部、  １７１ｂ…他端部
【要約】
【課題】  罠にかかった動物を吊り上げ状態にすることなく捕獲できる首用くくり罠を提供する。
【解決手段】  首用くくり罠１は、くくり輪２０のチェーン２３をスタンド１０のスタンド本体１２の上部に設けたプーリー１４に掛けて折り返し、折り返し端に引っ張りばねを接続する。くくり輪２０の輪部２１を誘引用の餌が入る容器４０の開口縁部にセットし、チェーン２３の先端部２３ａをトリガー装置５０の掛け止め部５１に掛け止めてチェーン２３に引っ張り力を付与する。動物が容器４０内に頭を突っ込んで餌に食いつく動作を行うとリミットスイッチのセンサー部８２に触れてスイッチオンで電磁ソレノイドが作動してトリガー装置５０のトリガー動作でチェーン２３の掛け止めが外れ、チェーン２３が引っ張り力で一気に引っ張り上げられて輪部２１が動物の首に掛かると共に、チェーン２３がプーリー１４から外れて地面に落ちる。
【選択図】  図１【図１】
0006675747.tif 000002
【図２】
0006675747.tif 000003
【図３】
0006675747.tif 000004
【図４】
0006675747.tif 000005